(57)【要約】【課題】タオルに描かれたデザインを周囲により美しく表示し、更に屋外での使用に適したタオルを提供することを課題とする。【解決手段】マイクロファイバー繊維の生地によって形成される略矩形のタオル本体１と、タオル本体の１辺の縁部近傍に配置された一対の襟字３と、を備えたタオルであって、前記タオル本体１は、縁部に対して斜め方向への伸縮性が、縁部に対して略垂直方向への伸縮性よりも高く、前記襟字３は、前記１辺の縁部に沿って、前記１辺と接するそれぞれの辺に向かって描かれることを特徴とする。【選択図】図２
2017205297.tif 000002
【特許請求の範囲】
【請求項１】
マイクロファイバー繊維の生地によって形成される略矩形のタオル本体と、タオル本体の１辺の縁部近傍に配置された一対の襟字と、を備えたタオルであって、
前記タオル本体は、縁部に対して斜め方向への伸縮性が、縁部に対して略垂直方向への伸縮性よりも高く、
前記襟字は、前記１辺の縁部に沿って、前記１辺と接するそれぞれの辺に向かって描かれることを特徴とするタオル。
【請求項２】
前記タオル本体を形成する生地が、スエード調の肌触りを有することを特徴とする請求項１に記載のタオル。
【請求項３】
前記タオル本体を形成する生地の縦糸及び横糸が、前記タオルのそれぞれの辺と交差する方向に編み込まれていることを特徴とする請求項１又は請求項２に記載のタオル。
【請求項４】
タオルの裏面が有する摩擦抵抗が、タオルの表面が有する摩擦抵抗より大きいことを特徴とする請求項１〜３の何れかに記載のタオル。
【請求項５】
表面側の略中央部に大紋が備えられ、
前記大紋は、前記襟字が備えられた辺と相対する辺に向かって描かれることを特徴とする請求項１〜４の何れかに記載のタオル。
【請求項６】
前記１辺の長さは１００〜１８０ｃｍであり、
前記１辺と接する辺の長さは５０〜１００ｃｍであること、を特徴とする請求項１〜５の何れかに記載のタオル。
【発明の詳細な説明】
【技術分野】
【０００１】
本発明は、肩に羽織って使用されるタオルに関する。
【背景技術】
【０００２】
夏場の祭事やスポーツ観戦といった野外でのアクティビティに際して、タオルの利用は欠かすことができない。
【０００３】
特に、祭事やイベントなどでは、それらの名称やロゴマークなどを用いてデザインされたタオルが販売・配布などされ、運営者から来場者等に至るまで幅広く利用されている。こうしたデザインのタオルは、イベント等での一体感を生じさせるため、多くの利用者に親しまれている。
【０００４】
特に、利用者が肩に羽織ることで、法被のような外観となるタオルが知られている（特許文献１）。また、祭事などでの携帯性を向上させた首かけタオルが知られている（特許文献２）。
【先行技術文献】
【特許文献】
【０００５】
【特許文献１】実用新案登録第３２０１３１５号公報
【特許文献２】実用新案登録第３１７５８７６号公報
【発明の概要】
【発明が解決しようとする課題】
【０００６】
しかしながら、従来のタオルは首から下げて利用されるため、タオルにしわが寄ってしまい（タオルが寄れてしまい）、タオル表面に描かれた祭事名やイベント名、デザインなどが見づらくなってしまう。
【０００７】
また、屋外での利用時には、姿勢の変化や風などによって首や肩からタオルが落ちてしまう可能性がある。
【０００８】
本発明は上述のような実状に鑑みてなされたものであり、肩に羽織って使用され、屋外での使用により適したタオルを提供することを課題とする。
【課題を解決するための手段】
【０００９】
上記課題を解決するために、本発明に係るタオルは、マイクロファイバー繊維の生地によって形成される略矩形のタオル本体と、タオル本体の１辺の縁部近傍に配置された一対の襟字と、を備えたタオルであって、
前記タオル本体は、縁部に対して斜め方向への伸縮性が、縁部に対して略垂直方向への伸縮性よりも高く、
前記襟字は、前記１辺の縁部に沿って、前記１辺と接するそれぞれの辺に向かって描かれることを特徴とする。
【００１０】
このような構成とすることで、首の形状に沿ってタオルが伸長し、タオルを羽織った際に、タオルに描かれた模様や文字をより美しく表示することができる。加えて、肩に張り付くように伸長する為、肩に羽織って使用する際に、タオルの自重、突風や姿勢の変化等によるずれ落ちを防ぎ、より羽織りやすいタオルを提供することができる。
【００１１】
また、このタオルを羽織ることで、祭事やイベントにおいて法被を羽織った際のように、参加する集団や団体への帰属意識、一体感を高め、人間どうしの心のつながりを啓発する効果が感じられる。
【００１２】
また、マイクロファイバー繊維で編まれた生地で構成されているため、吸水性及び速乾性に富んだタオルを提供することができる。羽織ることで、首から腕や背中にかけて広い範囲への紫外線の照射を遮蔽する効果が期待できる。加えて、従来のタオル地より薄く嵩張らない為、肩に羽織る大判のタオルであっても、その携帯性を損なわない。なお、室内で羽織ることにより冷房病予防効果が期待できる。
【００１３】
本発明の好ましい形態では、前記タオル本体を形成する生地が、スエード調の肌触りを有することを特徴とする。
このような構成とすることで、首や肩に対する摩擦抵抗が高まり、羽織った際に落ちにくいタオルを提供することができる。また、タオルの肌触りが良くなる。
【００１４】
本発明の好ましい形態では、前記タオル本体を形成する生地の縦糸及び横糸が、前記タオルのそれぞれの辺と交差する方向に編み込まれていることを特徴とする。
【００１５】
本発明の好ましい形態では、タオルの裏面が有する摩擦抵抗が、タオルの表面が有する摩擦抵抗より大きいことを特徴とする。
このような構成とすることで、首や肩に対する摩擦抵抗が高まり、羽織った際に落ちにくいタオルを提供することができる。
【００１６】
本発明の好ましい形態では、表面側の略中央部に大紋が備えられ、
前記大紋は、前記襟字が備えられた辺と相対する辺に向かって描かれることを特徴とする。
このような構成とすることで、法被というデザイン性を損なうことなく、集団や団体への帰属意識、一体感を高める模様を付することができる。
【００１７】
本発明の好ましい形態では、前記１辺の長さは１００〜１８０ｃｍであり、
前記１辺と接する辺の長さは５０〜１００ｃｍであること、を特徴とする。
【００１８】
このような構成とすることで、肩に羽織ることができる大判のタオルを提供することができる。
【発明の効果】
【００１９】
タオルに描かれたデザインを周囲により美しく表示し、更に屋外での使用に適したタオルを提供することができる。
【図面の簡単な説明】
【００２０】
【図１】本発明の一実施形態に係るタオルを示す図である。図１（ａ）は、タオルの表面図を示し、図１（ｂ）は、タオルの裏面図を示す。
【図２】本発明の実施形態１に関るタオルを肩に羽織った状態を示す図である。図２（ａ）は、タオルを肩に羽織った状態を示す正面側装着図であり、図２（ｂ）は、タオルを肩に羽織った状態を示す背面側装着図である。
【図３】本発明の実施形態２に係るタオルを示す図である。図１（ａ）は、タオルの表面図を示し、図１（ｂ）は、タオルの裏面図を示す。
【図４】本発明の実施形態３に係るタオルを示す図である。図１（ａ）は、タオルの表面図を示し、図１（ｂ）は、タオルの裏面図を示す。
【発明を実施するための形態】
【００２１】
＜実施形態１＞
以下、本発明の一実施形態について、図面を参照して詳細に説明する。図１は本発明の一実施形態に係るタオル本体１を示す図である。図１（ａ）は、タオル本体１の表面図を示し、図１（ｂ）は、タオル本体１の裏面図を示す。符号１は、実施形態１に関るタオルのタオル本体を示し、符号Ｆはタオル本体１の表面を、符号Ｂはタオル本体１の裏面をそれぞれ示している。
【００２２】
図１に示すように、タオル本体１は長方形に構成され、その長辺の長さはおよそ１５０センチメートル、短辺の長さはおよそ９２センチメートルである。タオル本体１は、大紋２と、一対の襟字３と、を備えている。
【００２３】
実施形態１におけるタオル本体１は、ポリエステルのマイクロファイバー繊維及びナイロンのマイクロファイバー繊維で編まれた生地で形成されている。この生地は、ポリエステルのマイクロファイバー繊維のみや、他のマイクロファイバー繊維を用いて形成されても構わない。
【００２４】
また、タオル本体１の生地は、生地表面を毛羽立たせたスエード調の加工が施されており、柔らかな肌触りとなっている。
【００２５】
タオル本体１の生地を形成する縦糸及び横糸は、それぞれがタオル本体１の各辺に対しておよそ斜め４５度方向に延びている。同等の力を加えてタオル本体１を引っ張った際には、タオル本体１の長辺方向及び短辺方向への伸びる割合に比べ、斜め方向への伸びる割合の方が大きい。
【００２６】
また、前記生地には、酸化チタンの光触媒が編み込まれており、紫外線と給気中の水分を利用して触媒反応を起こす。これにより、脱臭効果や抗菌効果、臭い分解効果が期待できる。編み込む光触媒は、酸化チタン以外のものであっても構わない。
【００２７】
図示例では、タオル本体１の裏面Ｂには特に模様は描かれていないが、彩色を施したり、模様を施すようにしても構わない。また、表面Ｆに施すような、法被に相当するデザインを裏面にも施し、リバーシブルとして利用可能に構成しても構わない。
【００２８】
大紋２は、タオル本体１の表面Ｆの中央部に、一方の長辺（図中上方向）から他方の長辺（図中下方向）に向かって備えられている。大紋２は、必ずしも一方の長辺と他方の長辺との中間部に配置されている必要はなく、例えば、図示例から他方の長辺側に寄った位置に配置するようにしても構わない。大紋２は、必ずしも紋章や家紋などである必要はなく、図示例のように模様やロゴマーク、文字などであっても構わない。
【００２９】
襟字３は、タオル本体１の表面Ｆの一方の長辺近傍に、相対するように一組備えられている。襟字３は、図示例では相対するように配置された同様の模様により構成されているが、それらが別々の模様であっても構わない。襟字３は、必ずしも文字であるである必要はなく、模様やロゴマーク、家紋、紋章などであっても構わない。
【００３０】
図２は、本発明の一実施形態に関るタオルを肩に羽織った状態を示す図である。図２（ａ）は、タオルを肩に羽織った状態を示す正面側装着図であり、図２（ｂ）は、タオルを肩に羽織った状態を示す背面側装着図である。
【００３１】
タオル本体１は、タオル本体１の背面Ｂが背中に接するように、一方の長辺を法被の襟に見立てて肩に羽織ることで、装着される。装着時には、図２（ａ）に現れるように、装着者の正面側に一対の襟字３が現れる。また、図２（ｂ）に現れるように、装着者Ｍの背面側に大紋２が現れる。
【００３２】
＜実施形態２＞
次いで、本発明の実施形態２に関るタオル本体１について説明する。なお、実施形態２において、前述の実施形態１と基本的に同一の構成要素については、同一の符号を付してその説明を簡略化する。実施形態１との相違点は、襟部４が設けられている点である。
【００３３】
図３は、本発明の実施形態２に関るタオルを示す図である。図３（ａ）は、タオルの表面図を示し、図３（ｂ）は、タオルの裏面図を示す。
【００３４】
タオル本体１は長方形に構成され、その長辺の長さはおよそ１３０センチメートル、短辺の長さはおよそ８８センチメートルである。本実施形態に関るタオルは、一対の襟字３と、襟字３が配置される襟部４と、を備えている。
【００３５】
符号４は襟部を示している。襟部４は、タオル本体１の一方の長辺（装着者の首に接する縁部）に沿って描かれた帯状の領域である。襟部４の両端には、襟字３が配置されており、表面Ｆの襟部４以外の部分には、模様が描かれている。このような構成とすることで、より法被に近いデザインのタオル本体１を提供することができる。
【００３６】
＜実施形態３＞
次いで、本発明の実施形態３に関るタオル本体１について説明する。なお、実施形態３において、前述の実施形態１及び実施形態２と基本的に同一の構成要素については、同一の符号を付してその説明を簡略化する。実施形態１との相違点は、小紋５が設けられている点である。
【００３７】
図４は、本発明の実施形態２に関るタオルを示す図である。図４（ａ）は、タオルの表面図を示し、図４（ｂ）は、タオルの裏面図を示す。
【００３８】
タオル本体１は長方形に構成され、その長辺の長さはおよそ１５０センチメートル、短辺の長さはおよそ９２センチメートルである。タオル本体１は、大紋２と、一対の襟字３と、小紋５と、を備えている。
【００３９】
小紋５は、タオル本体１の表面Ｆの他方の長辺側の２隅（図中左下の隅及び右下の隅）付近に、一組備えられている。図示例では、小紋５は同様の模様により構成されているが、それらが別々の模様であっても構わない。また、図示例の小紋５は、他方の長辺方向に向かって描かれているが、短辺方向に向かって表示したり、隅の方向に向かって表示するようにしても構わない。小紋５は、必ずしも紋章や家紋などである必要はなく、模様やロゴマーク、文字などであっても構わない。
【００４０】
本発明によれば、タオル本体１が斜め方向に延びることにより、肩に羽織った際により身体の形状に沿ってタオルを羽織ることができる為、ずれ落ちにくく、模様等を美しく表示させることができる。
【００４１】
また、タオル本体１がスエード調の肌触りを有することで、ずれ落ちにくく肌触りの良いタオルを提供することができる。
【００４２】
また、装着時に、描かれた襟字３及び大紋２を美しく表示し、目立たせることが可能なタオル本体１を提供することができる。肩に羽織って使用することで、タオル本体１が寄れることを防ぎ、襟字３や大紋２の部分を綺麗に表示することが可能である。
【００４３】
また、タオル本体１を羽織った際に、法被というデザイン性が、祭事やイベントに参加する集団や団体への帰属意識、一体感を高めるため、人間どうしの心のつながりを啓発する効果が期待できる。襟部４を備えることで、更に法被に近いデザインのタオル本体１を提供することができる。
【００４４】
また、マイクロファイバー繊維で編まれた生地で構成されているため、吸水性及び速乾性に富んだタオル本体１を提供することができる。
【００４５】
また、マイクロファイバー繊維を使用することで、タオル本体１を形成する生地を薄くすることができる。従来のタオル地より薄く嵩張らない為、肩に羽織る大判のタオル本体１であっても、その携帯性を損なうことなく、持ち運びできる。
【００４６】
また、マイクロファイバー繊維で編まれた生地に光触媒が織り込まれていることで、タオル本体１に消臭効果や殺菌効果、抗菌効果、臭い分解効果を付加させることができる。
【００４７】
また、タオル本体１を羽織ることで、首から腕や背中にかけて広い範囲への紫外線の照射を遮蔽する効果が期待できる。なお、室内で羽織る場合には、冷房病予防効果が期待できる。
【００４８】
マイクロファイバー繊維で編まれた生地は手触りが非常によく、人間の触覚を刺激することで、五感を研ぎ澄ませることができる。本来、五感を刺激するためには激しい運動などが必要であるが、タオル本体１を触った際の触覚から五感を刺激できる。そのため、高齢者等の激しい運動が出来ない使用者であっても、感覚の衰えを防ぐ効果が期待できる。
【００４９】
また、五感を研ぎ澄ますことで筋力の発揮をコントロールする効果が感じられ、姿勢改善や美容メソッド等、運動のツールとして使用することもできる。
【００５０】
タオル本体１を触ることにより、人間の五感である触覚から脳にアプローチして、味覚を変化させる効果も期待できる。そのため、新感覚のダイエットツールとしても活用できる。羽織れる程度の大判のタオルであり、吸水性が高く嵩張らない為、テーブルクロスとして活用することもできる。
【００５１】
特殊な生地でできたタオル本体１をスポーツの際に羽織ることで、休憩中や待ち時間にも五感を刺激できる。そのため、ウォーミングアップやクールダウン、トレーニングツールとして活用することもできる。
【００５２】
ライブイベント等のグッズとしても有効である。タオル本体１を羽織ることで、ファンとしての帰属意識はもちろん、ファッション性が高まる。マイクロファイバー繊維の生地により、五感を刺激する効果が期待できるため、ライブイベントで視覚や聴覚を刺激するツールとしての効果も期待できる。
【００５３】
例えば、タオル本体１をスポーツの応援グッズとして使用することで、チームへの帰属意識を高めることができる。肩に羽織る大判のタオルであるため、タオルの表面と裏面の色の違いを利用して、人文字などのマスゲームツールとしても活用することができる。
【００５４】
また、さまざまな祭事やイベントのグッズとして活用できる。実際の法被より多様な機能性があり、嵩張らないため持ち運びしやすく、そのファッション性から祭事やイベントに参加する意識が高まる。お土産としても祭事やイベントに彩りを加えることができる。日本の文化である法被を模しているため、外国人への贈り物やお土産等に適している。
【符号の説明】
【００５５】
１  タオル本体
２  大紋
３  襟字
４  襟部
５  小紋
Ｆ  表面
Ｂ  裏面
Ｍ  装着者
【図１】
2017205297.tif 000003
【図２】
2017205297.tif 000004
【図３】
2017205297.tif 000005
【図４】
2017205297.tif 000006